(57)【特許請求の範囲】
【請求項１】
軒樋の底部に軒樋を流れる雨水を排水するための排水口を形成し、該軒樋に前記排水口とは別に貯水部に連通する取水口を形成し、前記貯水部は雨水取出口部を有し、前記排水口よりも取水口の方が、軒樋の底部に対して高い位置で開口していることを特徴とする雨水利用システム。
【発明の詳細な説明】
【技術分野】
【０００１】
本発明は軒樋に流れた雨水を利用する雨水利用システムに関する。
【背景技術】
【０００２】
屋根から流れる雨水を集水し、集水した雨水を通水経路を介して貯水部に導き、貯水部に貯まった雨水を有効利用する雨水利用システムが従来から知られている。
【０００３】
この種の雨水利用システムにあっては、建物の屋根に降った雨水を軒先に取付けた軒樋に流して雨水を集めるのだが、雨の降り始めには屋根の瓦や軒樋の内面に付着した汚れが雨水と共に貯水部に流れ込んでしまい、汚れのない綺麗な雨水を利用できない場合があった。
【０００４】
このため例えば特許文献１に示す雨水利用システムにあっては、図２のように通水経路３０に開閉可能な排水口部３１を設け、雨の降り始めには排水口部３１を開いて該排水口部３１から汚れた雨水を排水し、またこの後、雨が十分に降ってきた段階で排水口部３１を閉じて貯水部に雨水が流れるようにし、これにより汚れを含む降り始めの雨水を貯水部に流さないようにしていた。
【０００５】
ここで特許文献１の排水口部３１の開閉は、排水口部３１に連通接続した一時貯留槽３２内の浮子３３により行われている。即ち雨の降り始めで一時貯留槽３２内の雨水の水位が低い場合には一時貯留槽３２内に浮かべた浮子３３が図２の破線で示すように下降して排水口部３１が開き、この後一時貯留槽３２内の雨水の水位が高くなった場合には図２の実線で示すように浮子３３が上昇して該浮子３３で排水口部３１が閉じるようになっている。また一時貯留槽３２内に貯まった雨水は雨が降り終わった後に一時貯留槽３２に設けた弁３４により開閉可能となった出水口３５を開くことで外部に排出するようにしている。
【０００６】
しかし上記特許文献１では雨が降った後にその都度一時貯留槽３２の出水口３５を開閉する必要があり非常に面倒である。また上記した浮子３３により排水口部３１を開閉する構造は複雑でありコストがかかる。
【特許文献１】特開平９−４１４２９号公報
【発明の開示】
【発明が解決しようとする課題】
【０００７】
本発明は上記従来の問題点に鑑みて発明したものであって、汚れを含む降り始めの雨水を貯水部に流入することなく排水でき、貯水部に綺麗な雨水のみを導くことができ、しかも面倒な作業をする必要なく、且つコストを低くできる雨水利用システムを提供することを課題とするものである。
【課題を解決するための手段】
【０００８】
上記課題を解決するために本発明に係る雨水利用システムは、軒樋１の底部１ａに軒樋１を流れる雨水を排水するための排水口２を形成し、該軒樋１に前記排水口２とは別に貯水部３に連通する取水口４を形成し、前記貯水部３は雨水取出口部１３を有し、前記排水口２よりも取水口４の方が、軒樋１の底部１ａに対して高い位置で開口していることを特徴とするものである。
【０００９】
上記のように取水口４は軒樋１に対する高さ位置が前記排水口２よりも高い位置で開口しているので、軒樋１に流入した降り始めの汚れを含む雨水は排水口２にのみ流入することとなり、これにより降り始めの汚れを含む雨水が貯水部３に流入することを防止できる。そしてこの後、雨が十分に降ってくると、軒樋１を流れる雨水の水位が取水口４よりも高くなり、雨水は取水口４から貯水部３に流入して貯水部３に貯まる。この貯水部３に流れる雨水は、降り始めの雨水により、ある程度汚れが落ちた瓦や軒樋の内面を通過するものであるので、貯水部３には汚れのほとんどない綺麗な雨水が貯まることとなる。しかもこの場合、従来のように排水口２を開閉する構造を設ける必要がなく、手間が省け、且つコストを削減できる。さらに取水口４は軒樋１の底部１ａよりも高い位置に形成しているので、軒樋１を流れる雨水の水位が取水口４よりも高くなった状態においても、軒樋１の底部１ａ付近を流れる汚れを含む雨水が取水口４に流入し難くなっており、これにより軒樋１の上部を流れる汚れを含まない綺麗な雨水のみを取水口４を介して貯水部３に流すことができる。
【発明の効果】
【００１０】
本発明では降り始めの汚れを含む雨水を貯水部に流入させることなく排水でき、貯水部に綺麗な雨水のみを導くことができ、しかも面倒な作業をする必要なく、しかもコストを低くできる。
【発明を実施するための最良の形態】
【００１１】
以下、本発明を添付図面に示す実施形態に基いて説明する。図１に示すように本発明の雨水利用システムは、軒樋１の底部１ａに排水口２を形成し、該軒樋１に前記排水口２とは別に貯水部３に連通する取水口４を形成したものであり、軒樋１を流れる雨水を排水口２から排水経路を介して外部に排水でき、且つ軒樋１を流れる雨水を取水口４から通水経路を介して貯水部３に流して雨水を貯めることができるようになっている。
【００１２】
建物の軒先に沿って取付けた軒樋１は断面同一で長尺なものであり、底部１ａと、底部１ａの両側から立ち上げた側壁部１ｂを備えている。ここで、軒樋１は図１のように水平に取付けてあっても良いし、屋根から軒樋１に流入した雨水がスムーズに排水口２側に向かって流れるように緩やかに水勾配がついた状態で軒先に取付けられるものであっても良い。このうち水勾配をつける場合は、取水口４が排水口２よりも上流側に位置するように軒樋１を排水口２側から取水口４側に行く程上方に位置するように傾斜して取付けてあっても良いし、また排水口２が取水口４よりも上流側に位置するように軒樋１を取水口４側から排水口２側に行く程上方に位置するように傾斜して取付けてあっても良い。
【００１３】
上記排水口２は軒樋１の底部１ａに排水側ドレン５を取付けることで形成している。排水側ドレン５は上下に開口する筒状部６を有し、筒状部６を軒樋１の底部１ａに形成した排水側取付孔に挿通し、該筒状部６の上端部を排水側取付孔の孔縁に水密的に装着することで軒樋１に取付けている。筒状部６の上端開口は軒樋１の底部１ａの上面と略同じレベル（詳しくは軒樋１の底部１ａの上面よりもやや上方）に位置し、この筒状部６の上端開口で排水口２を構成している。
【００１４】
上記排水側ドレン５の筒状部の下端には排水経路を構成する竪樋８の上端を連通接続してあり、これにより排水口２は竪樋８を介して排水先に連通している。
【００１５】
一方、取水口４は軒樋１の底部１ａに取水側ドレン９を取付けることで形成してあり、軒樋１の長手方向における排水口２の近傍に形成されている。取水側ドレン９は上下に開口する筒状部１０を有し、筒状部１０を軒樋１の底部１ａに形成した取水側取付孔に挿通し、該筒状部１０の上部を取水側取付孔の孔縁に水密的に装着することで軒樋１に取付けている。筒状部１０は上端部が軒樋１の底部１ａから上方に向けて突出しており、この筒状部１０の上端開口で取水口４を構成している。
【００１６】
ここで、取水側ドレン９の筒状部１０の上端は排水側ドレン５の筒状部６の上端よりも図１のＬに示す寸法だけ上方に位置し、これにより取水口４は軒樋１の底部１ａに対する高さ位置が前記排水口２よりも高い位置で開口している。
上記取水側ドレン９の筒状部６の下端には通水経路を構成する縦筒部材１２の上端を連通接続している。縦筒部材１２の下端は貯水タンクからなる貯水部３の上端に連通接続している。なお図１の１３は貯水部３に貯まった雨水を取り出すための開閉自在の雨水取出口部である。
【００１７】
また上記排水側ドレン５の筒状部６及び取水側ドレン９の筒状部１０の夫々の上端面には上方に突出する脚部１４を各筒状部６、１０の周方向に間隔を介して複数設けてあり、隣合う脚部１４間に連通口１５を形成している。各脚部１４は上側程筒状部６、１０の径方向の内側に向かうように湾曲したアーチ状に形成してあり、各脚部１４の上端部はこれら脚部１４で囲まれたすり鉢状の升部１６の上端部外周に接続している。升部１６は筒状部６、１０の上方位置で上方に開口しており、升部１６の底部１ａには排水口２又は取水口４に臨むオーバーフロー孔１７を形成している。これにより排水側ドレン５及び取水側ドレン９にあっては、連通口１５を介して排水口２又は取水口４に流れる雨水の経路と、升部１６のオーバーフロー孔１７を介して排水口２又は取水口４に流れる雨水の経路との２つの経路が形成される。
【００１８】
以上説明したように本発明の雨水利用システムにあっては、取水口４は軒樋１に対する高さ位置が排水口２よりも高い位置で開口しているので、軒樋１に流入した降り始めの汚れを含む初期の雨水は、軒樋１の底部１ａからの高さが高い取水口４には流入せず、軒樋１の底部１ａからの高さが低い排水口２にのみ流入することとなり、これにより降り始めの汚れを含む雨水は貯水部３に流入することなく排水口２から排水される。そしてこの後、雨が十分に降った状態になると、軒樋１を流れる雨水の水位が取水口４よりも高くなり、これにより軒樋１を流れる雨水は取水口４から貯水部３に流入する。つまり雨が十分に降ってきた段階でのみ軒樋１を流れる雨水を貯水部３に流すことができ、これにより貯水部３に汚れのない綺麗な雨水を貯めることができる。
【００１９】
また特に本発明では上記のように汚れを含む雨水を貯水部３に流さないようにするにあたって、取水口４を軒樋１に対する高さ位置が排水口２よりも高い位置で開口するようにしたので、従来のように排水口２を開閉する必要がなく手間が省け、且つコストを削減できる。さらに取水口４は軒樋１の底部１ａよりも上方に位置しているので、雨が十分に降ってきた段階において取水口４に軒樋１の底部１ａ付近を流れる汚れが流入し難くなっており、これにより貯水部３には汚れを含まない軒樋１の上部を流れる綺麗な雨水のみを流すことができる。
【００２０】
また本実施形態の取水口４及び排水口２の夫々の上方にはオーバーフロー孔１７が位置するので、枯葉等の蓄積物が軒樋１内にたまっても各オーバーフロー孔１７から取水口４や排水口２に雨水を流すことができる。また図示例では取水側ドレン９のオーバーフロー孔１７を軒樋１に対する高さが排水側ドレン５のオーバーフロー孔１７よりも高い位置に配してあるので、蓄積物が軒樋１内にたまった場合にも貯水部３に綺麗な雨水を流すことができる。
【図面の簡単な説明】
【００２１】
【図１】本発明の実施の形態の一例を示すものであり、一部破断した説明図である。
【図２】従来の雨水利用システムを示す要部断面図である。
【符号の説明】
【００２２】
１  軒樋
１ａ  底部
２  排水口
３  貯水部
４  取水口
【図１】
0004525573.tif 000002
【図２】
0004525573.tif 000003